(57)【特許請求の範囲】
【請求項１】
一端に閉鎖口を、他端に開放口を有し、該開放口を下側に傾けた場合に毛管力によって収容する薬液が開放口側に移動しない細いパイプ状容器に薬液を注入し、さらに、該容器の開放口すぐ奥に、薬液が含浸され、かつ、中央部に貫通する穴をもつパイプ状の保液体を装着したことを特徴するアルゼンチンアリ駆除器。
【請求項２】
薬液が含浸される保液体の貫通する穴に芯パイプを設置することにより該穴に薬液が露出しない箇所を設けて、アルゼンチンアリがパイプ状容器の内部へ進入しやすくしたことを特徴する請求項１に記載のアルゼンチンアリ駆除器。
【請求項３】
液体通導性を有する糸もしくは紐の一端を保液体に取り付け、その反対側一端を薬液に浸漬させることにより保液体に薬液が供給されることを特徴する請求項１又は請求項２に記載のアルゼンチンアリ駆除器。
【請求項４】
パイプ状容器の開放口側の一端にフリンジを設け、該フリンジの一ヶ所を容器の開放口から若干離れた位置で接線方向に直線状に形成し、もしくは前記直線に相当する箇所のフリンジの裏側にＶ字状の溝を入れ、使用時に該溝を折り切ることで直線状を形成し、容器を横向きに設置する際、前記直線状部分を接地させることで該容器の回転を抑止すると同時に、屋外に設置した際に地面に溜まる雨水の浸入を抑止できるようしたことを特徴する請求項１ないし請求項３のいずれかに記載のアルゼンチンアリ駆除器。
【請求項５】
パイプ状容器の開放口側の一端にフリンジを設け、該フリンジに取り付けた密封包装シールが開放口の途中までしか開封しない構造にすることにより、開封した際に該シ−ルが開放口上部に庇状に残ることで、屋外に設置した際に降雨が該容器の内部へ浸入することを抑止したことを特徴する請求項１ないし請求項４のいずれかに記載のアルゼンチンアリ駆除器。
【請求項６】
密封包装シールが取り付けられるフリンジ箇所の内側となる開放口周囲に、もしくは、該周囲に設けたリング状の溝にアルゼンチンアリが進入できる最小サイズのスリットあるいは穴を設けた昆虫進入防止シート・プレートを取り付けることにより、アルゼンチンアリより大きなサイズの昆虫をパイプ状容器の内部へ進入させないことを特徴する請求項５に記載のアルゼンチンアリ駆除器。
【請求項７】
パイプ状容器の外側に嵌め込んだ際に任意の位置で固定できる穴を中央部に有し、かつ、該容器を横向きに設置した際に接地させることができる直線部分を周囲の少なくとも一箇所に有する重しを該容器の一箇所もしくは複数箇所に取り付けることにより、風などの外力によって該容器が移動することを抑止したことを特徴する請求項１ないし請求項４のいずれかに記載のアルゼンチンアリ駆除器。
【発明の詳細な説明】
【技術分野】
【０００１】
本発明は、収容された薬液が簡便な構造により安定的に保持されることで、環境を汚染することなく、アルゼンチンアリが継続的に薬液を摂取する駆除器に関するものである。
【背景技術】
【０００２】
アルゼンチンアリは日本には１９９３年に侵入し、その繁殖力の強さから生態系を破壊し、住居にも侵入して人に被害をもたらすことから２００５年に特定外来生物に指定され、駆除対象となっている。市販のベイト型薬液として糖分とホウ酸の水溶液などがあり、アルゼンチンアリ用として、小皿や蓋付き台皿の中央にある窪みに薬液を溜める方式の駆除器が商品化されている。
非特許文献１および非特許文献２には、実験用マイクロチューブに収容する方式が記載されている。特許文献１には薬液の収納体(壜)の内部に片の挿入部を差し込んで、収納体の外に片の突出部を延在させ、突出部からアリが出入りするアリ駆除用器具の発明が記載されている。また、ゴキブリほか用として、特許文献２には、台形状のボトルに収容し口をスポンジまたは布などで栓をして染み出させる方式が、特許文献３には、カバー付き容器の口に穴の開いた蓋を嵌め込んでその穴から毛細管力のある芯材を表出させて染み出させる方式が記載されている。
【先行技術文献】
【特許文献】
【０００３】
【特許文献１】特開平９−２０５９６１号公報
【特許文献２】特開２００１−３１５１２号公報
【特許文献３】特開２０１２−１５７３２２号公報
【非特許文献】
【０００４】
【非特許文献１】アルゼンチンアリ防除の手引き（改訂版）、環境省自然環境局野生生物課外来生物対策室発行、平成２５年７月
【非特許文献２】アルゼンチンアリ一斉防除マニュアル、アルゼンチンアリ対策広域行政協議会（広島県自然環境課ほか５地方自治体担当課）、平成２３年３月
【発明の概要】
【発明が解決しようとする課題】
【０００５】
上述の先行商品や非特許文献１、２および特許文献１では、皿やマイクロチューブあるいは収納体が風や人体・動物接触などの外力により転倒した際、薬液がこぼれ出し、薬液を保持できないばかりでなく環境を汚染するという問題のほか、空気に触れる薬液の露出面積が大きいため薬液の乾燥速度が速く、その結果、薬液が高濃度化し、さらに、薬液に溶けている成分が析出し、最終的には乾燥してしまうことからアルゼンチンアリの摂取可能時間が短いという問題がある。
【０００６】
上述の特許文献２および３では、スポンジや芯材など毛細管力のある物質で容器の口を閉鎖するため、ゴキブリなどの摂取による気液交換で容器内に侵入した空気が日光照射などによる温度上昇で体積膨張する結果、容器内の空気圧が上昇することで薬液が外に押し出されるという問題がある。
【課題を解決するための手段】
【０００７】
上記課題を解決するため、請求項１記載の発明は、一端の口が閉鎖され、反対側一端の口が開放しており、かつ、大きな毛管力をもつことで開放口を下側に傾けた場合でも収容する薬液が開放口側に移動しない細いパイプ状容器を用いる。加えて、開放口からの薬液漏れを防止し、アルゼンチンアリを開放口から収容する薬液へ導入し、さらに、該容器内を閉鎖空間としないため、開放口のすぐ奥に、薬液が含浸され、かつ、中央部に貫通する穴をもつパイプ状の保液体を装着し、アルゼンチンアリ駆除器とする。
【０００８】
請求項２記載の発明は、薬液が含浸される保液体の貫通する穴に芯パイプを設置することにより該穴に薬液が露出しない箇所を設けて、アルゼンチンアリがパイプ状容器の内部へ進入しやすくする。
請求項３記載の発明は、液体通導性を有する糸もしくは紐の一端を保液体に取り付け、その反対側一端を薬液に浸漬させることにより保液体に薬液が供給されることである。    請求項４記載の発明は、パイプ状容器の開放口側の一端にフリンジを設け、該フリンジの一ヶ所を容器の開放口から若干離れた位置で接線方向に直線状に形成し、もしくは前記直線に相当する箇所のフリンジの裏側にＶ字状の溝を入れ、使用時に該溝を折り切ることで直線状を形成し、容器を横向きに設置する際、前記直線状部分を接地させることで容器の回転を抑止すると同時に、屋外に設置した際に地面に溜まる雨水の浸入を抑止できるようしたことである。
【０００９】
請求項５記載の発明は、パイプ状容器の開放口側の一端にフリンジを設け、該フリンジに取り付けた密封包装シールが開放口の途中までしか開封しない構造にすることにより、開封した際に該シ−ルが開放口上部に庇状に残ることで、屋外に設置した際に降雨が該容器の内部へ浸入することを抑止したことである。請求項６記載の発明は、密封包装シールが取り付けられるフリンジ箇所の内側となる開放口周囲に、アルゼンチンアリが進入できる最小サイズのスリットあるいは穴を設けた昆虫進入防止シート・プレートを取り付けることである。請求項７記載の発明は、パイプ状容器の外側に嵌め込んだ際に任意の位置で固定できる穴を中央部に有し、かつ、容器を横向きに設置した際に接地させることができる直線部分を周囲の少なくとも一箇所に有する重しを容器の一箇所もしくは複数箇所に取り付けることにより、風などの外力によって容器が移動することを抑止したことである。
【発明の効果】
【００１０】
上記手段によれば、転倒によって容器の開放口が下向きになっても薬液が開放口側に移動しないことから、また、万が一移動した場合でも保液体によって移動を阻止されることから開放口からの漏れを防止することができる。また、細いパイプ状容器に薬液が収容されることから開放口側に露出する薬液の面積は小さく、かつ、保液体により開放口からの空気の出入りが抑制されるため薬液の乾燥速度は遅く、アルゼンチンアリの摂取可能時間を長く保つことができるほか、容器内が開放空間となるため温度上昇による空気圧上昇が起きず、この結果、薬液が開放口から押し出されることがない。
【図面の簡単な説明】
【００１１】
【図１】本発明に係るアルゼンチンアリ駆除器の設置時の斜視図。
【図２】一端を熱融着で閉鎖した本発明に係るアルゼンチンアリ駆除器の設置時の斜視図。
【図３】本発明に係るアルゼンチンアリ駆除器の設置前の正面図と両側面図。
【図４】図３のA−A断面図。
【図５】糸もしくは紐を取り付けた、本発明に係るアルゼンチンアリ駆除器の設置前の正面図と両側面図。
【図６】芯パイプをもつ保液体を拡大して示す、（a）正面図、（b）側面図および（c）B−B断面図。
【図７】密封包装シールと昆虫進入防止シートを取り付ける位置が示されたフリンジを拡大した側面図。
【図８】昆虫進入防止プレートが取り付けられたフリンジを拡大した（a）側面図および（b）C−C断面図。
【発明を実施するための形態】
【００１２】
請求項１に記載する一端が閉鎖された細いパイプ状容器と中央に貫通する穴をもつパイプ状の保液体について述べる。
【００１３】
まず、パイプ状容器の内径、肉厚、長さ、材質、および一端の閉鎖方法について説明する。収容された薬液が該容器の開放口を下向きにしても開放口側に移動しない内径は約６ｍｍ以下であり、一方、薬液収容量や取り扱い易さを考慮した場合は約４ｍｍ以上である。  したがって、内径は約４〜６ｍｍとなり、該容器に収容された薬液の露出面積は小さいので、薬液乾燥を抑止できる。肉厚は、強度を優先する場合は厚く、扁平に圧締する必要がある熱融着加工を優先する場合は薄くする。長さは、薬液収容量や取り扱い易さを考慮し、適当なものとする。材質はポリプロピレンなどのプラスチックとし、その色は薬液残量やアルゼンチンアリの摂取行動が観察できるよう透明かそれに近いものとする。
一端の閉鎖は、パイプ部と底部との一体成形による。材質が熱可塑性プラスチックで肉厚が薄いパイプの場合は扁平に熱融着して閉鎖する。反対側の開放口には密封包装シ−ル、昆虫進入防止シート・プレートを取り付けるためのフリンジを設けても、あるいは、パイプ状のまま設けなくてもよい。パイプ状のままの場合は、開放口の密封には密封包装シ−ルのほかにゴム栓を用いてもよいし、あるいは肉厚が薄いパイプの場合は扁平に熱融着してもよい。熱融着した場合は、使用時に熱融着した部分をハサミで切り離すことになる。
なお、上述したパイプ状容器の断面は円形を想定しているが、矩形状あるいは三角形のものでもよい。
【００１４】
続いて、パイプ状容器の開放口のすぐ奥に装着する保液体の材質、長さ、外径、中央に貫通する穴の直径、空気の通導性および装着位置について説明する。材質は薬液を毛細管力によって保つものであれば、天然繊維あるいは合成繊維の成形体でも、紙や不織布を巻いたものでもスポンジでもよい。長さは１０ｍｍ程度で、外径は装着時に圧縮されることでパイプ状容器の内壁に摩擦力で固定される寸法とする。アルゼンチンアリは、まずは開放口に露出する保液体の薬液に取り付き、次に保液体の中央に貫通する穴を通って該容器内に進入する。この穴の直径は小さいほど毛管力が働き薬液が漏れにくく、保液体の体積が増加して保液量も大きくなり、パイプ状容器の開放口に露出する面積が増え、一度に摂取可能なアルゼンチンアリ数も増える。
一方で、アルゼンチンアリの働きアリの体長は約２．５ｍｍ、体高は約１．６ｍｍで外皮が柔らかいため約１ｍｍの隙間は通り抜けると言われており、該穴の直径はこの限界直径と思われる約１ｍｍ以上は必要であり、これより大きいほどアルゼンチンアリが一度に多数該容器内へ進入可能となる。屋外での摂取試験ではアルゼンチンアリが直径１．５ｍｍの穴を通ってパイプ状容器の内部に進入することを確認しており、また、該容器の内径が約４〜６ｍｍであることから、保液体の穴の直径は約１．５〜４ｍｍが適当である。保液体には貫通する穴が設けられているため、パイプ状容器内に閉鎖空間が形成されることはない。
したがって、該容器内の空気体積が絶対温度に比例して膨張しても、この穴から空気が抜けるので、閉鎖空間が形成されている場合に生じる空気圧力上昇による薬液の押し出しは起きない。保液体をパイプ状容器に装着する位置は、万が一の保液体からの薬液漏れを考えれば、開放口から奥であるほど保液体から漏れた薬液が該容器に貯液される量が多いので好ましいが、一方、アルゼンチンアリの摂取を考慮すれば開放口に近いほどよい。
屋外での摂取試験では、保液体の端がパイプ状容器の開放口から２〜３ｍｍ奥の所に位置するようにした場合、設置直後にアルゼンチンアリが摂取し始めた。このことから、保液体をパイプ状容器に装着する位置は、保液体の端が該容器の開放口から２〜３ｍｍ奥の所とする。保液体が装着された場合、強く振るなど衝撃を加えない限りパイプ状容器内の薬液が開放口から漏れ出すことはない。
【００１５】
一方、収容された薬液が開放口を下向きにした時に開放口側に移動する内径が６ｍｍを越えるパイプ状容器に保液体を装着した場合は、開放口側に移動した薬液が保液体によってせき止められて開放口から漏れ出すことはないが、薬液の移動に伴って該容器内に空気の閉鎖空間が生じ、空気が熱膨張すると薬液が開放口から押し出されてしまう。また、下向きの角度を垂直に近づけた場合は、薬液の重さによって薬液が漏れ出してしまう。
パイプ状容器の内径が６ｍｍを大きく上回ると開放口を横向きに設置した場合でも薬液は開放口側に移動するので、内径が大きなパイプ状容器は薬液収容量が大きいという有利さはあるが、薬液漏れを考慮した場合は避けるべきである。
【００１６】
薬液のパイプ状容器への注入は、注射器で注入するように針状の管を該容器の底まで差し入れて泡が入らないよう圧力をかけて行い、その注入量は薬液と保液体との間にわずかな隙間ができる程度が望ましい。この隙間がない場合は、アルゼンチンアリの摂取によって薬液が減少して隙間が生じるまでの間、保液体の穴から気液交換によりパイプ状容器内に空気が侵入し薬液中に閉鎖空間として取り込まれる可能性がある。この取り込まれた空気は温度上昇によって体積膨張を生じ、薬液をパイプ状容器の開放口から押し出す恐れがある。
この隙間を設けるには、パイプ状容器に保液体を装着した後、針状の管を保液体の穴から該容器内部に差し入れ、薬液を保液体に達するまで注入して保液体に薬液を含浸させ、その後、薬液と保液体との間にわずかな隙間ができる程度まで薬液を吸い戻せばよい。または、パイプ状容器に薬液を保液体との間にわずかな隙間ができる量を注入した後に、あらかじめ薬液を含浸させた保液体を該容器に装着してもよいし、保液体を該容器に装着してから保液体に薬液を注射器などで含浸させてもよい。
【００１７】
水溶性タイプの殺虫薬剤にはホウ酸が安価で低毒性なことから適しており、その溶解度は１０、５０、１００℃でそれぞれ３．６５、１１．４、３７．９ｇ／１００ｇ水であることから、１００ｇの水への混入割合は３ｇ程度とし、温めた水に溶解して用いる。アルゼンチンアリは雑食性で、最も好む物はアブラムシ、カイガラムシ類の分泌物、花蜜など糖分が入った液体であるので、水へ混入する誘引物質としては安価で入手しやすい砂糖が適しており、１００ｇの水への混合割合は２０〜２５ｇ程度とする。水１００ｇにホウ酸３ｇ、砂糖２５ｇを溶解させた薬液を内径５．８ｍｍ、長さ２４９ｍｍのパイプ状容器に注入長さ２１８ｍｍ、注入量にして５．８ｍｌ注入して平成２６年９月に神戸市内で実施した屋外試験で観察したところ、アルゼンチンアリは問題なく継続的に摂取し、１４日後に該容器の中を底まで進入して薬液をすべて摂取した。なお、砂糖単独のほかに、砂糖１０ｇ、ハチミツ１０ｇとした場合でもアルゼンチンアリは問題なく継続的に摂取したので、誘引物質としてハチミツを用いてもよく、また、薬剤が油性で水に混入する場合は界面活性剤を併用すればよい。
【００１８】
請求項２に記載する保液体の穴に設置する芯パイプについて述べる。アルゼンチンアリは水を忌避する性質をもつため、殺虫薬剤が水溶性タイプで保液体がこの薬液を含んでいる場合は、保液体の中央部に設けられている穴が水で濡れているため、保液体の穴の中に入りにくい。そこで、保液体の穴にポリプロピレンなどのプラスチック製の芯パイプを挿入することによって、水を遮断して、アルゼンチンアリが保液体の穴の中に入りやすくする。加えて、芯パイプに小さな穴を多数あけることで、その小さな穴に保液体の一部が押し込まれて芯パイプの内壁に露出し、アルゼンチンアリはこの露出部から出る薬液に引き寄せられて芯パイプの奥へと進み、さらに、薬液が収容されているパイプ状容器内に進入する。
なお、露出部は芯パイプの内壁の一部分に限られているので、アルゼンチンアリは非露出部を伝って芯パイプを奥へ進むことができる。
【００１９】
請求項３に記載する液体通導性を有する糸もしくは紐の設置について述べる。アルゼンチンアリの摂取は、まず少数のアルゼンチンアリがパイプ状容器の開放口のすぐ奥に装着された保液体の露出部に取り付つき、さらに、保液体の中央にある芯パイプの穴を通って該容器の中に収容されている薬液を摂取したあと巣へ戻る時に道しるべフェロモンを残し、続いて、この道しるべフェロモンに誘導されて多数のアルゼンチンアリが該容器の中にある薬液に群がるという過程となる。薬液と保液体との間には隙間がある場合には、アルゼンチンアリがパイプ状容器の中に進入する前に保液体に含浸される薬液が摂取によってなくなれば、アルゼンチンアリが該容器の中に進入しない可能性が高い。
また、保液体の穴を通ってパイプ状容器内に進入しても薬液までたどり着く確実性は乏しい。そこで、液体通導性を有する糸もしくは紐の一端を保液体に取り付け、その反対側一端を薬液に浸漬させれば、保液体に薬液が常時供給され、また、保液体の穴を通ってパイプ状容器内に入ってから糸もしくは紐に群がり、加えて、それ伝いに薬液本体まで誘導されるため、多数のアルゼンチンアリによる摂取が継続的に、かつ、短期間で実現する。  しかしながら、糸もしくは紐をパイプ状容器の底に届くまで長くして該容器の開放口を下向きにした場合は、糸もしくは紐を伝って薬液が開放口側に移動して保液体と接触し、これに連動して該容器の保液体側にあった空気が薬液中に入り、薬液と入れ替わりながら最終的には該容器の底に移動するため閉鎖空間が形成される。さらに、この閉鎖空間はアルゼンチンアリの保液体からの薬液摂取によって生じる気液交換で増大する。
この結果、温度上昇による空気の体積膨張で保液体側の薬液が開放口から押し出される。糸もしくは紐を取り付けた保液体を装着したパイプ状容器を用いる場合は、開放口が下向きにならないようにする必要がある。万が一の下向きになった場合に備えるため、糸もしくは紐の長さをパイプ状容器の底より開放口側に短くして、その先端より先には空気が移動しないようにして閉鎖空間の大きさを減少させることで開放口から押し出される恐れのある薬液の量を抑えてもよい。
なお、取り付ける糸もしくは紐の数は一本でも複数本でもよい。
【００２０】
請求項４に記載するフリンジの一ヶ所を直線状にすることについて述べる。
パイプ状容器の開放口に設けられたフリンジに接地させる直線部分がない場合は、該容器を設置した後に風などの外力により該容器は容易に回転移動してしまう。これを防ぐため、あらかじめフリンジ一ヶ所を、パイプ状容器の開放口から若干離れた位置で接線方向に直線状とするか、もしくは、該直線に相当する箇所の裏側にＶ字状の溝を入れ、使用時に該溝を折り切ることで直線状とする。この直線部分を接地させることでパイプ状容器の回転を抑止すると同時に、直線部分と開放口の間にある高さができることで屋外に設置した際に地面に溜まる雨水の浸入を抑止できる。
【００２１】
請求項５に記載する密封包装シールが開放口の途中までしか開封しない構造について述べる。
パイプ状容器を屋外設置した際、該容器の開放口が完全に開放状態になっている場合は降雨の浸入を抑制することができず、雨水が該容器に装着されている保液体に染み込み、さらには、該容器内にまで入り込んで薬液を薄めてその効果を低下させる恐れがある。
そこで、密封包装シールを熱融着によってフリンジに取り付ける面積を該シールの開封途中で増大させて、それ以上は開封しにくい構造にすることにより開封した該シ−ルが開放口上部に庇状に残るようにする。なお、フリンジを設けないパイプ状容器の場合は、開放口を斜めにカットして前方に突き出た方を上にして該容器を横置きにすれば、その突き出た部分が庇となる。
【００２２】
請求項６に記載する昆虫進入防止シート・プレートについて述べる。前述したように、パイプ状容器の内径は約４〜６ｍｍであり、該容器の開放口のすぐ奥に装着する保液体の穴の直径は約１．５〜４ｍｍである。したがって、幅が約６ｍｍ以下の昆虫は開口部に進入して保液体に含浸されている薬液を摂取することができ、幅が約４ｍｍ以下のものは保液体の穴から該容器内に進入できる。本アルゼンチンアリ駆除器の対象昆虫はアルゼンチンアリであり、他の昆虫を駆除して元々ある生態系を破壊することは避けなければならない。アルゼンチンアリより大型の昆虫の該容器への進入を防ぐために、密封包装シールが取り付けられたフリンジ箇所の内側となる開放口周囲に、もしくは、該周囲に設けた溝にアルゼンチンアリが進入できる最小サイズと考えられる約１．５ｍｍ幅のスリットあるいはその長さの直径の穴を設けた昆虫進入防止シート・プレートを取り付ける。取り付けは熱融着や接着によって行う。
【００２３】
請求項７に記載する直線部分を周囲の少なくとも一箇所に有する重しについて述べる。パイプ状容器を屋外に設置した際、強風に吹き飛ばされるなど外力によって設置場所が移動するだけでなく、落下して衝撃が加わった場合は該容器内にある薬液が開放口から漏れ出す恐れがある。これを防止するため、パイプ状容器の外側に嵌め込んだ際に任意の位置で固定できる穴を中央部に有し、さらに、直線部分を周囲の少なくとも一箇所に有する重しを該容器に取り付ける。重しの材質はステンレスやメッキを施した鉄、あるいはモルタルなど比重が大きく、耐久性のあるものが適している。重しの取り付け箇所は、開放口にフリンジがある場合はパイプ状容器の底側一ヶ所に、フリンジがない場合は底側に加えて開放口側にもう一ヶ所計２ヶ所に取り付ける。重しを取り付けることにより、パイプ状容器を横向きに設置する際に安定的に接地させることができる。この重しはアルゼンチンアリが地面からパイプ状容器へ登る際の通路となる。
一方、パイプ状容器の開放口を上にして縦置きに用いる場合は、重しは使えないので、代わりに粘着テープや粘着剤で擁壁などに留めることになる。なお、パイプ状容器の設置場所は、アルゼンチンアリの行列上が最良であり、屋外試験では行列上に設置した直後にアルゼンチンアリの該容器への進入が始まった。
【実施例】
【００２４】
図１には、パイプ部１と底部２、フリンジ３とを一体成形することにより一端が閉鎖され、もう一端が開放口４となる細いパイプ状容器５に、中央に芯パイプ６をもつパイプ状の保液体７を開放口４のすぐ奥に装着し、さらに、薬液８を、薬液８が含浸された保液体７に接触しない位置に収容してから該容器５を横置きに使用する形態が示されている。底部２側のパイプ部１に取り付けられた重し９の直線部分１０とフリンジ３の直線部分１１を接地させることによりパイプ状容器５を安定して設置することができる。
フリンジ３の上部には開封時にはがされずに残る密封包装シール１２が庇状となって屋外設置の際に雨水の浸入を防ぐ。図３には、密封包装シール１２を開封する前のパイプ状容器５が、図４には図３のA−A断面が示されている。開封時にはフリンジ３に密着していない密封包装シール１２のフリー部分１３を指でつまんで引きはがすことになる。アルゼンチンアリはフリンジ３を伝って容易に開放口４に達することができる。
【００２５】
図２には、熱可塑性プラスチック製のパイプ部１の一端を扁平に熱融着して閉鎖したパイプ状容器５を横置きに使用する形態が示されている。図１に示すパイプ状容器５との相違は、開放口４にフリンジ３を設けないこと、開放口４を密封する密封包装シール１２が完全に開封されていること、開放口４側のパイプ部１に重し９が装着されていることである。この重し９の装着位置は開放口４に近いほどアルゼンチンアリが重し９を伝って容易に開放口４に達することができる。この扁平に熱融着して閉鎖するパイプ状容器５は市販のストローを用いることができるので安価で簡便に製造することができる。
【００２６】
図５には、図３に示すパイプ状容器５の保液体７に液体通導性を有する糸もしくは紐１４の一端を取り付け、その反対側一端を薬液８に浸漬させ、さらに、フリンジ３の裏側にＶ字状の溝１５を設けたパイプ状容器５が示されている。保液体７と薬液８が糸もしくは紐１４でつながることによって保液体７には毛細管現象により薬液８が供給され、また、パイプ状容器内に入ったアルゼンチンアリは糸もしくは紐１４に群がり、さらに、薬液８まで誘導されるため、多数のアルゼンチンアリによる摂取が継続的に、かつ、短期間で実現する。密封包装シール１２はフリンジ３と完全に一体となっており、フリンジ３の裏側にはＶ字状の溝１５が設けられているので、該シール１２を開封する際は該溝１５の下にあるつまみ部１６を指でつまんで該溝１５を折り切って該シール１２を引きはがすことができるので、厚さの薄いフリー部分１３をつまんで引きはがす場合よりも引きはがしが容易となる。
【００２７】
図６は、小さな穴１７を多数設けた芯パイプ６を中央にもつ保液体７の拡大図である。小さな穴１７から保液体７の一部が押し出されて芯パイプ６の内壁１８に露出しており、アルゼンチンアリはこの露出部１９から出る薬液８に引き寄せられて芯パイプ６の奥へと進み、さらに、パイプ状容器５の中に進入して該容器に収容されている薬液８を摂取することなる。なお、露出部１９以外の内壁１８は保液体７が露出していない非露出部２０なので、アルゼンチンアリは薬液８と接触する恐れがない非露出部２０を伝って芯パイプ６の奥へ進むことができる。
【００２８】
図７には、パイプ状容器５のフリンジ３に取り付ける密封包装シール１２の取り付け位置２１と図８に示す昆虫進入防止シート・プレート２２の取り付け位置２３が保液体７を取り除いた状態で示されている。密封包装シール１２の取り付け位置２１はリング状部分２４と円の切れ端状部分２５から成り、該シール１２をフリンジ３の直線部分１１から引きはがす際に、リング状部分２４は容易に開封されるが、円の切れ端状部分２５に達すると引きはがす長さが急に長くなるため容易には開封することができない。これにより開封した該シ−ル１２が開放口４の上部に庇状に残ることになり、降雨の開放口４への浸入を抑制する。なお、リング状部分２４の内側が昆虫進入防止シート・プレート２２の取り付け位置２３となっており、該シート・プレート２２を密封包装シール１２より先にフリンジ３に取り付けることになる。
【００２９】
図８には、昆虫進入防止シート・プレート２２が厚いため密封包装シール１２の取り付けに支障がある場合に、該シート・プレート２２の取り付け位置２３に相当するフリンジ３の部分に設けるリング状の溝２６が示されている。該溝２６に昆虫進入防止シート・プレート２２を取り付ければ該シート・プレート２２がフリンジ３より前に飛び出すことはなく、密封包装シール１２を支障なくフリンジ３に取り付けることができる。昆虫進入防止シート・プレート２２にはアルゼンチンアリは進入できるが、それより大きな昆虫は進入できないスリット２７が設けられている。
【産業上の利用可能性】
【００３０】
アルゼンチンアリの侵入による生態系の破壊や農業被害は世界的な問題となっており、複数の女王アリにより巨大コロニーを形成する繁殖力の強さから侵入・繁殖は広がり続け、根絶は困難な状況である。日本では各自治体が中心となって侵入・繁殖地域の屋外にベイト剤入りの駆除器を多数設置して一斉駆除することが行われており、駆除に一定の効果があると報告されている。ベイト剤の一つに糖を混入したホウ酸水溶液があり、安価で低毒性であるため、一斉駆除用に適していると考えられている。この薬液を収容する駆除器は一斉駆除の際には多数必要となることから、駆除器には安価で高い液体保持・保存性が要求される。
さらに、アルゼンチンアリが薬液を摂取しやすい構造および風雨に対する安定性も要求される。本発明は、細いパイプ状容器の開放口のすぐ奥に、薬液が含浸され、かつ、貫通する穴をもつパイプ状の保液体を装着した単純な構造を基本にしており、上述の一斉駆除に必要な要件をすべて備えているアルゼンチンアリ駆除器である。この単純な構造に加えて、パイプ状容器に熱融着可能な熱可塑性樹脂を用いれば、本発明の量産化は可能である。その利用は国内だけでなく海外にも期待することできる。
【符号の説明】
【００３１】
１・・・パイプ部、  ２・・・底部、  ３・・・フリンジ、  ４・・・開放口、  ５・・・パイプ状容器、  ６・・・芯パイプ、  ７・・・保液体、  ８・・・薬液、  ９・・・重し、  １０・・・重しの直線部分、  １１・・・フリンジの直線部分、  １２・・・密封包装シール、  １３・・・フリー部分、  １４・・・糸もしくは紐、  １５・・・Ｖ字状の溝、  １６・・・つまみ部、  １７・・・小さな穴、  １８・・・内壁、  １９・・・露出部、  ２０・・・非露出部、  ２１・・・密封包装シールの取り付け位置、    ２２・・・昆虫進入防止シート・プレート、  ２３・・・昆虫進入防止シート・プレートの取り付け位置、  ２４・・・リング状部分、  ２５・・・円の切れ端状部分、  ２６・・・リング状の溝、  ２７・・・スリット。
【図１】
0006407788.tif 000002
【図２】
0006407788.tif 000003
【図３】
0006407788.tif 000004
【図４】
0006407788.tif 000005
【図５】
0006407788.tif 000006
【図６】
0006407788.tif 000007
【図７】
0006407788.tif 000008
【図８】
0006407788.tif 000009